(57)【要約】【課題】狭額縁化を図ることができる表示装置及びテレビジョン受信機を提供する。【解決手段】表示装置１１は、光源が発した光が入射する端面及び該端面に入射した光が放出される一面を有する導光板２３と、該導光板２３の前記一面が開口に向かうよう前記導光板２３を収容する皿状の収容体３と、該収容体３の前記開口から放出される光によって照明される表示パネル２１とを備える表示装置１１であって、前記収容体３は、端面に凹部３０６が設けられ、一面が前記導光板２３の他面に向かう底板３０と、該底板３０の周囲に配される側板３１と、前記底板３０及び前記側板３１を連結する連結部材３５とを有し、一部（嵌入部３７１）が前記凹部３０６に嵌め入れられ、他部（規制部３７２）が弾性を有し、前記導光板２３の端面に対向する位置に配置され、前記導光板２３の位置を規制する規制部材３７を備える。【選択図】図５
2018045197.tif 000002
【特許請求の範囲】
【請求項１】
光源が発した光が入射する端面及び該端面に入射した光が放出される一面を有する導光板と、
該導光板の前記一面が開口に向かうよう前記導光板を収容する皿状の収容体と、
該収容体の前記開口から放出される光によって照明される表示パネルと
を備える表示装置であって、
前記収容体は、
端面に凹部が設けられ、一面が前記導光板の他面に向かう底板と、
該底板の周囲に配される側板と、
前記底板及び前記側板を連結する連結部材と
を有し、
一部が前記凹部に嵌め入れられ、他部が弾性を有し、前記導光板の端面に対向する位置に配置され、前記導光板の位置を規制する規制部材を備えることを特徴とする表示装置。
【請求項２】
前記底板は、２つの金属層の間に合成樹脂層が介在している複合板であり、
前記凹部は、前記合成樹脂層に設けられていることを特徴とする請求項１に記載の表示装置。
【請求項３】
前記光源を、前記光が入射する端面に適長離隔して対向するよう支持する光源支持部と、
前記導光板を、前記光が入射する端面に接触することによって支持する導光板支持部と
を更に備え、
前記導光板は、前記光が入射しない端面である他の端面を更に有し、
前記規制部材の前記他部は、少なくとも前記他の端面の１つの面と対向する位置に配置されることを特徴とする請求項１又は２に記載の表示装置。
【請求項４】
前記規制部材の前記他部は板バネ状をなすことを特徴とする請求項１から３の何れかひとつに記載の表示装置。
【請求項５】
前記規制部材の前記一部は弾性を有し、前記凹部の内面に接触して圧縮されていることを特徴とする請求項１から４の何れかひとつに記載の表示装置。
【請求項６】
請求項１から５の何れかひとつに記載の表示装置と、
テレビジョン放送を受信する受信部と
を備え、
該受信部にて受信したテレビジョン放送に基づいて、前記表示装置に映像を表示することを特徴とするテレビジョン受信機。
【発明の詳細な説明】
【技術分野】
【０００１】
本発明は、導光板を備える表示装置及びテレビジョン受信機に関する。
【背景技術】
【０００２】
従来、表示パネルと光源装置とを備える表示装置が用いられている。光源装置においては、皿状のバックライトシャーシに光源及び導光板が収容されている。光源が発した光は導光板の端面に入射し、導光板の端面に入射した光は導光板の一面から放出される。導光板の一面から放出された光は、バックライトシャーシの開口から放出されて、表示パネルを照明する。
【０００３】
バックライトシャーシの側板の内面には、導光板の端面に適長離隔して対向配置されたバネ又はクッション等の規制部材が取り付けられる。光源が発した熱によって膨張した導光板の端面が規制部材に接近して接触した場合、導光板の端面とバックライトシャーシの側板との間で規制部材が圧縮される。圧縮された規制部材は、規制部材に導光板の端面が接近した方向の逆方向に導光板を付勢する。この結果、導光板の位置が規制される。この種の表示装置は、例えば特許文献１に開示されている。
【０００４】
ところで、金属層の間に合成樹脂層が介在した構造を有する複合板は、軽量で剛性が高いので、バックライトシャーシの材料として望ましい。しかしながら、複合板に曲げ又は絞り等の加工を施すことによって皿状のバックライトシャーシを形成した場合、合成樹脂層が破損する虞がある。そこで、複合板製の平板状のバックライトシャーシを底板とし、表示装置が備えるフレーム又はベゼル等を側板とし、底板及び側板をネジで連結することによって、皿状の収容体を形成し、この収容体に光源ユニットを収容することがなされる。この種の表示装置は、例えば特許文献２に開示されている。
【先行技術文献】
【特許文献】
【０００５】
【特許文献１】特開２０１４−３８３１８号公報
【特許文献２】特許第５６５７７２７号公報
【発明の概要】
【発明が解決しようとする課題】
【０００６】
近年、表示装置の狭額縁化が望まれている。しかしながら、バックライトシャーシの側板の内面に規制部材を取り付ける必要があるので、表示装置の狭額縁化を図ることができない。このような問題は、底板及び側板が連結された収容体を備える表示装置でも起こり得る。
【０００７】
本発明は斯かる事情に鑑みてなされたものであり、その主たる目的は、狭額縁化を図ることができる表示装置及びテレビジョン受信機を提供することにある。
【課題を解決するための手段】
【０００８】
本実施の形態に係る表示装置は、光源が発した光が入射する端面及び該端面に入射した光が放出される一面を有する導光板と、該導光板の前記一面が開口に向かうよう前記導光板を収容する皿状の収容体と、該収容体の前記開口から放出される光によって照明される表示パネルとを備える表示装置であって、前記収容体は、端面に凹部が設けられ、一面が前記導光板の他面に向かう底板と、該底板の周囲に配される側板と、前記底板及び前記側板を連結する連結部材とを有し、一部が前記凹部に嵌め入れられ、他部が弾性を有し、前記導光板の端面に対向する位置に配置され、前記導光板の位置を規制する規制部材を備えることを特徴とする。
【０００９】
本実施の形態に係る表示装置は、前記底板は、２つの金属層の間に合成樹脂層が介在している複合板であり、前記凹部は、前記合成樹脂層に設けられていることを特徴とする。
【００１０】
本実施の形態に係る表示装置は、前記光源を、前記光が入射する端面に適長離隔して対向するよう支持する光源支持部と、前記導光板を、前記光が入射する端面に接触することによって支持する導光板支持部とを更に備え、前記導光板は、前記光が入射しない端面である他の端面を更に有し、前記規制部材の前記他部は、少なくとも前記他の端面の１つの面と対向する位置に配置されることを特徴とする。
【００１１】
本実施の形態に係る表示装置は、前記規制部材の前記他部は板バネ状をなすことを特徴とする。
【００１２】
本実施の形態に係る表示装置は、前記規制部材の前記一部は弾性を有し、前記凹部の内面に接触して圧縮されていることを特徴とする。
【００１３】
本実施の形態に係るテレビジョン受信機は、本実施の形態に係る表示装置と、テレビジョン放送を受信する受信部とを備え、該受信部にて受信したテレビジョン放送に基づいて、前記表示装置に映像を表示することを特徴とする。
【発明の効果】
【００１４】
本実施の形態の表示装置及びテレビジョン受信機による場合、狭額縁化を図ることができる。
【図面の簡単な説明】
【００１５】
【図１】実施の形態１に係る表示装置を備えるテレビジョン受信機を略示する斜視図である。
【図２】テレビジョン受信機を略示する背面図である。
【図３】テレビジョン受信機を略示する側面図である。
【図４】表示装置の一部を略示する断面図である。
【図５】表示装置の他部を略示する断面図である。
【図６】表示装置の更に他部を略示する断面図である。
【図７】表示装置の更に他部を略示する断面図である。
【図８】表示装置が備える底板の要部を略示する斜視図である。
【図９】表示装置が備える規制部材を略示する斜視図である。
【図１０】規制部材による位置規制を説明する断面図である。
【図１１】実施の形態２に係る表示装置を備えるテレビジョン受信機を略示する断面図である。
【図１２】実施の形態３に係る表示装置を備えるテレビジョン受信機を略示する断面図である。
【発明を実施するための形態】
【００１６】
以下、本発明を、その実施の形態を示す図面に基づいて詳述する。
【００１７】
（実施の形態  １．）
図１は、実施の形態１に係る表示装置を備えるテレビジョン受信機を略示する斜視図である。図２は、テレビジョン受信機を略示する背面図である。図３は、テレビジョン受信機を略示する側面図である。
図中１はテレビジョン受信機であり、テレビジョン受信機１は、表示装置１１、受信部１２、及び信号処理部１３を備えている。
表示装置１１は矩形パネル状をなす。表示装置１１には受信部１２及び信号処理部１３が内蔵されている。なお、受信部１２及び信号処理部１３は、表示装置１１に外付けされていてもよい。
【００１８】
表示装置１１は、映像が表示される表示面２１１を有する。テレビジョン受信機１は、例えば図示しないスタンドに支持されて据え置きされるか、又は、図示しない金具に掛止されて壁掛けされる。このとき、表示装置１１の表示面２１１は前側に向けられ、表示装置１１の厚み方向、長手方向、及び短手方向は、前後方向、左右方向、及び上下方向に沿う。
【００１９】
受信部１２は、受信回路が実装された回路基板である。受信部１２は、図示しないアンテナを介して外部からテレビジョン放送を受信し、受信したテレビジョン放送に基づく放送信号を出力する。
信号処理部１３は、信号処理回路が実装された回路基板である。信号処理部１３は、受信部１２が出力した放送信号に所定の信号処理を施すことによって、映像データを出力する。信号処理部１３が出力した映像データに基づく映像は、表示面２１１に表示される。
【００２０】
図４は、表示装置１１の一部を略示する断面図である。図５は、表示装置１１の他部を略示する断面図である。図４及び図５には、表示装置１１の上辺部近傍の断面図が示されている。図４には、後述する連結部材３５の近傍が示されている。図４には、後述する規制部材３７の近傍が示されている。
図６及び図７は、表示装置１１の更に他部を略示する断面図である。図６及び図７には、表示装置１１の下辺部近傍の断面図が示されている。図６には、後述する光源２５１の近傍が示されている。図７には、後述する導光板支持部４１４の近傍が示されている。
表示装置１１は、表示パネル２１、光学シート群２２、導光板２３、反射シート２４、光源部材２５、収容体３、ヒートスプレッダ４１、内側支持体４２、外側支持体４３、及びカバー４４を備えている。
【００２１】
表示パネル２１は、光透過型の液晶表示パネルである。表示パネル２１は矩形状をなす。表示装置１１が有する表示面２１１は、表示パネル２１の一面である。
光学シート群２２は、複数枚の光学シートが積層されたものである。光学シート群２２は透光性を有する。光学シート群２２を構成している各光学シートは矩形状をなし、光の拡散機能又は集光機能等を有する。
【００２２】
導光板２３は矩形状をなす。導光板２３は透光材料からなり、例えばアクリル樹脂製である。以下では、導光板２３の一端面を入光端面２３１といい、導光板２３の一面を出光面２３２といい、導光板２３の出光面２３２に対向する面を非出光面２３３という。また、導光板２３の４つの端面の内、入光端面２３１を除く３つの端面を非入光端面２３４，２３４，…という。入光端面２３１から導光板２３の内部に進入した光は、出光面２３２から導光板２３の外部に放出される。
反射シート２４は矩形状をなす。反射シート２４の一面は、光反射性を有する光反射面である。
【００２３】
光源部材２５は、複数の光源２５１，２５１，…、及び光源基板２５２を有する。
各光源２５１は、例えばＬＥＤである。光源基板２５２は短冊状をなす。光源基板２５２の一面には、光源２５１，２５１，…が光源基板２５２の長手方向に並設されている。
【００２４】
収容体３は、底板３０、４つの側板３１〜３４（図１及び図３参照）、複数の連結部材３５，３５，…、スペーサ３６、及び複数の規制部材３７，３７，…を有する。
図８は、底板２１の要部を略示する斜視図である。
図４〜図８に示す底板３０は矩形状をなす。底板３０は、金属層３０１、樹脂層３０２（合成樹脂層）、及び金属層３０３がこの順に積層された複合板である。即ち、樹脂層３０２は、金属層３０１，３０３間に介在している。
【００２５】
底板３０の端面には、凹部３０４が設けられている。凹部３０４は、樹脂層３０２に設けられている。凹部３０４は、例えば複合板を構成する金属層３０１，３０３間に挿入された切削部材によって樹脂層３０２の端面が切削されることによって形成される。複合板の樹脂層３０２に凹部３０４を形成することは、例えば金属板の端面に凹部３０４を形成することよりも容易である。
【００２６】
凹部３０４は、底板３０の一方の長辺部に複数個（例えば５個）、適長離隔して並設されている。また、凹部３０４は、底板３０の２つの短辺部に複数個（例えば３個）ずつ、適長離隔して並設されている。以下では、底板３０の凹部３０４，３０４，…が設けられている長辺部を上辺部といい、底板３０の凹部３０４，３０４，…が設けられていない長辺部を下辺部という。また、底板３０の２つの短辺部を左右両辺部という。
各凹部３０４の内部には、金属層３０１，３０３が露出している。凹部３０４の内面には、２つの穴３０５，３０５が設けられている。各穴３０５は、金属層３０１を貫通する貫通孔である。
【００２７】
底板３０の端面には、凹部３０６，３０６，…が更に設けられている。各凹部３０６の構成は凹部３０４と同様である。故に、凹部３０６の内面には、２つの穴３０５，３０５が設けられている。凹部３０６，３０６，…は、凹部３０４，３０４，…に一対一対応で隣り合う。
なお、底板３０は複合板に限定されるものではない。
【００２８】
側板３１〜３４は、一体成形された枠体の上枠部、左枠部、右枠部、及び下枠部である。側板３１〜３４夫々は細長い矩形板状である。側板３１〜３４夫々の一面は枠体の外面である。
側板３１の内面の短手方向中央部には、突出部３１１が突設されている。突出部３１１は、側板３１の長手方向の全長に亘る凸条状をなす。突出部３１１の断面は矩形状をなす。
側板３１の内面の短手方向一端部には、係合部３１２が突設されている。係合部３１２は、側板３１の長手方向の全長に亘る凸条状をなす。係合部３１２の断面は矩形状をなす。
【００２９】
側板３２，３３夫々にも、側板３１の突出部３１１及び係合部３１２と同様の突出部３１１及び係合部３１２が設けられている。側板３２，３３夫々の突出部３１１及び係合部３１２は、側板３１の突出部３１１及び係合部３１２に連続している。側板３２の上端部は側板３１の左端部に連続し、側板３３の上端部は側板３１の右端部に連続している。側板３４は、側板３２，３３夫々の下端部に亘る。
【００３０】
各連結部材３５は、嵌入部３５１及び連結部３５２を有する。
嵌入部３５１は弾性を有する。具体的には、嵌入部３５１は、Ｕ字断面を有する板バネ状をなす。嵌入部３５１は、２枚の矩形板３５ａ，３５ｂの一辺部同士が湾曲板を介して連結された形状を有する。矩形板３５ａの外面には、２つの突起３５３，３５３（１つだけ図示）が設けられている。
連結部３５２は弾性を有する。具体的には、連結部３５２は、Ｖ字断面を有する板バネ状をなす。連結部３５２は、２枚の矩形板３５ｃ，３５ｄの一辺部同士が直に連結された形状を有する。矩形板３５ｃは、嵌入部３５１を構成する矩形板３５ａに直角である。
嵌入部３５１及び連結部３５２は、矩形板３５ａのＵ字の先端部と矩形板３５ｃのＶ字の先端部とが連結された形状を有する。
【００３１】
連結部材３５は、例えば、１枚の金属板にポンチ加工を施すことによって突起３５３，３５３を突設し、金属板の突起３５３，３５３を含む一部を、突起３５３，３５３が突設されている面が外面となるように、Ｕ字状に湾曲させ、金属板の残部を、嵌入部３５１のＵ字の開放部を上向きにした場合に連結部３５２のＶ字の開放部が後ろ向きになるよう、Ｖ字状に屈曲させることによって形成される。
以上のような連結部材３５は、構成が簡易である。
【００３２】
各連結部材３５は、連結部材３５の嵌入部３５１が底板３０の凹部３０４に嵌め入れられる。このとき、連結部材３５は底板３０に取り付けられる。
このために、作業者は、嵌入部３５１を摘まみ持つことによって、嵌入部３５１の矩形板３５ａ，３５ｂを接近させる方向に嵌入部３５１に外力を加える。この結果、嵌入部３５１は圧縮される。次に、作業者は、連結部材３５の突起３５３，３５３が底板３０の金属層３０１に向くようにして、圧縮した嵌入部３５１を底板３０の凹部３０４に挿入する。
【００３３】
突起３５３，３５３が底板３０の穴３０５，３０５に達した場合、作業者は嵌入部３５１から手を離す。すると、突起３５３，３５３は、嵌入部３５１の復元力によって、穴３０５，３０５に挿入される方向に付勢される。穴３０５，３０５に挿入された突起３５３，３５３は、穴３０５，３０５の内面に係合する。
以上のような嵌入部３５１の凹部３０４への嵌め入れ作業は容易である。
【００３４】
凹部３０４に嵌め入れられた嵌入部３５１は、凹部３０４の内面（即ち金属層３０１，３０３夫々の内面）に接触することによって、矩形板３５ａ，３５ｂが接近する方向に圧縮される。故に、嵌入部３５１の弾性に基づく復元力が嵌入部３５１に生じる。嵌入部３５１に生じた復元力が嵌入部３５１を凹部３０４の内面に押し付けるので、嵌入部３５１が凹部３０４から抜け落ちることが抑制されると共に、凹部３０４の内部での嵌入部３５１のガタツキが抑制される。しかも、突起３５３，３５３が穴３０５，３０５の内面に係合する。故に、嵌入部３５１が凹部３０４から抜け落ちることが更に抑制される。各突起３５３は、穴３０５に挿入される方向に付勢されるので、突起３５３が穴３０５から抜け落ちる虞はない。
【００３５】
連結部３５２の矩形板３５ｃの外面は、金属層３０１の端面に接し、金属層３０１の外面から直角に突出する。
【００３６】
スペーサ３６は断面矩形状の弾性部材であり、遮光性を有する。スペーサ３６はコ字枠状をなす。
【００３７】
図９は、規制部材３７を略示する斜視図である。
各規制部材３７は、嵌入部３７１及び規制部３７２を有する（図５及び図９参照）。
嵌入部３７１は弾性を有する。具体的には、嵌入部３７１は、Ｕ字断面を有する板バネ状をなす。嵌入部３７１は、２枚の矩形板３７ａ，３７ｂの一辺部同士が湾曲板を介して連結された形状を有する。矩形板３７ａの外面には、２つの突起３７３，３７３が設けられている。
規制部３７２は弾性を有する。具体的には、規制部３７２は、Ｖ字断面を有する板バネ状をなす。規制部３７２は、２枚の矩形板３７ｃ，３７ｄの一辺部同士が直に連結された形状を有する。規制部３７２は、矩形板３７ａの外面に対向配置されている。矩形板３７ｃは、嵌入部３７１を構成する矩形板３７ａのＶ字の先端部に直角に突設されている。矩形板３７ｄは、矩形板３７ｄのＶ字の先端部が矩形板３７ｃと平行になるよう、屈曲している。
【００３８】
規制部材３７は、例えば、１枚の金属板にポンチ加工を施すことによって突起３７３，３７３を突設し、金属板の突起３７３，３７３を含む一部を、突起３７３，３７３が突設されている面が外面となるように、Ｕ字状に湾曲させ、金属板の残部を、嵌入部３７１のＵ字の開放部を上向きにした場合に規制部３７２のＶ字の開放部が左向き又は右向きになるよう、Ｖ字状に屈曲させることによって形成される。
以上のような規制部材３７は、構成が簡易である。
【００３９】
各規制部材３７は、規制部材３７の嵌入部３７１が底板３０の凹部３０６に嵌め入れられる。このとき、連結部材３７は底板３０に取り付けられる。嵌入部３７１の凹部３０６への嵌め入れは、連結部材３５の嵌入部３５１の凹部３０４への嵌め入れと同様である。故に嵌入部３７１の凹部３０６への嵌め入れ作業は容易である。
【００４０】
凹部３０６に嵌め入れられた嵌入部３７１は、凹部３０６の内面に接触して圧縮される。故に、嵌入部３７１の弾性に基づく復元力が嵌入部３７１に生じる。嵌入部３７１に生じた復元力が嵌入部３７１を凹部３０６の内面に押し付けるので、嵌入部３７１が凹部３０６から抜け落ちることが抑制されると共に、凹部３０６の内部での嵌入部３７１のガタツキが抑制される。しかも、突起３７３，３７３が穴３０５，３０５の内面に係合する。故に、嵌入部３７１が凹部３０６から抜け落ちることが更に抑制される。各突起３７３は、穴３０５に挿入される方向に付勢されるので、突起３７３が穴３０５から抜け落ちる虞はない。
【００４１】
規制部３７２の矩形板３７ｃの外面は、金属層３０１の端面に接し、金属層３０１の外面から直角に突出する。
【００４２】
ヒートスプレッダ４１は熱伝導性が高く、例えば金属製である。ヒートスプレッダ４１は断面Ｌ字状をなす。ヒートスプレッダ４１は光源支持部４１１及び放熱部４１２を有する。
光源支持部４１１は矩形板状をなす。光源支持部４１１の一面には、光源支持部４１１及び光源部材２５の光源基板２５２夫々の長手方向が一致するように、光源部材２５が取り付けられている。光源支持部４１１の他面には、複数のネジ穴４１３，４１３，…が設けられている（図６に１つだけ図示）。ネジ穴４１３，４１３，…は、光源支持部４１１の長手方向に並設されている。
【００４３】
放熱部４１２は矩形板状をなす。放熱部４１２は、光源支持部４１１の一面に垂直に、光源支持部４１１の一面の短手方向一端部から突出している。放熱部４１２は、光源支持部４１１の長手方向の両端部に亘る。
放熱部４１２には、放熱部４１２の一面に垂直に、複数の導光板支持部４１４，４１４，…が突設されている（図６に１つだけ図示）。各導光板支持部４１４は円柱状をなし、光源支持部４１１の光源部材２５が取り付けられている面に近接配置されている。光源部材２５の各光源２５１は、隣り合う２つの導光板支持部４１４，４１４間に配されている。
【００４４】
内側支持体４２はＬ字断面を有する棒状をなす。内側支持体４２は２つの支持板４２１，４２２を有する。支持板４２１，４２２はＬ字の一側及び他側である。
支持板４２１は矩形状をなす。支持板４２１には、複数の貫通孔４２３，４２３，…が設けられている（図６に１つだけ図示）。貫通孔４２３，４２３，…は、支持板４２１の長手方向に並設されている。
支持板４２２は矩形状をなす。支持板４２２は、支持板４２１の長手方向の両端部に亘って、且つ、支持板４２１の一面に垂直に、支持板４２１の一面の短手方向一端部から突出している。
支持板４２２の一面には、スペーサ４２４が支持板４２２の一面に垂直に突設されている。スペーサ４２４は、支持板４２２から見て支持板４２１の突出方向とは逆方向に突出している。
【００４５】
外側支持体４３はＬ字断面を有する棒状をなす。外側支持体４３は２つの支持板４３１，４３２を有する。支持板４３１，４３２はＬ字の一側及び他側である。
支持板４３１は矩形状をなす。支持板４３１には、複数の貫通孔４３３，４３３，…が設けられている（図６に１つだけ図示）。貫通孔４３３，４３３，…は、支持板４３１の長手方向に並設されている。
支持板４３２は矩形状をなす。支持板４３２は、支持板４３１の長手方向の両端部に亘って、且つ、支持板４３１の一面に垂直に、支持板４３１の一面の短手方向一端部から突出している。
カバー４４は箱状をなす。
【００４６】
ここで、収容体３の組み立て手順を説明する。
まず、作業者は、連結部材３５，３５，…及び規制部材３７，３７，…を底板３０に取り付けた後で、スペーサ３６が底板３０の凹部３０４，３０４，…及び凹部３０６，３０６，…が設けられた３つの端面を覆うように、スペーサ３６を底板３０に取り付ける。
【００４７】
また、作業者は、反射シート２４、導光板２３、及び光学シート群２２を、反射シート２４の光反射面が導光板２３の非出光面２３３を覆い、光学シート群２２が導光板２３の出光面２３２を覆い、導光板２３の入光端面２３１と底板３０の下辺部の端面とが同じ方向を向くように、底板３０の金属層３０１の外面にこの順に載置する。この結果、底板３０の一面（具体的には金属層３０１の外面）は、導光板２３の非出光面２３３に向かう。
【００４８】
更にまた、作業者は、光源２５１，２５１，…が導光板２３の入光端面２３１に対向し、光源支持部４１１が底板３０の下辺部の端面に対向し、導光板支持部４１４，４１４，…が入光端面２３１に接触するように、ヒートスプレッダ４１の放熱部４１２を底板３０の金属層３０３の外面に接触させる。
次に、作業者は、貫通孔４２３，４２３，…とネジ穴４１３，４１３，…とが対向するように、内側支持体４２の支持板４２１をヒートスプレッダ４１の光源支持部４１１に接触させ、且つ、内側支持体４２の支持板４２１とヒートスプレッダ４１の放熱部４１２との間に光学シート群２２、導光板２３、反射シート２４、及び底板３０を挟む。このとき、作業者は、支持板４２２と導光板２３の周縁部との間に緩衝材４５１を介在させる。
【００４９】
次いで、作業者は、貫通孔４２３，４２３，…と貫通孔４３３，４３３，…とが対向するように、外側支持体４３の支持板４３１を内側支持体４２の支持板４２１に接触させ、且つ、外側支持体４３の支持板４３２を内側支持体４２のスペーサ４２４に接触させる。この後、作業者は、各貫通孔４３３，４２３にこの順に挿通させたネジ４５２をネジ穴４１３に螺合させることによって、外側支持体４３の支持板４３１及び内側支持体４２の支持板４２１をヒートスプレッダ４１の光源支持部４１１に共締めする。
この結果、内側支持体４２の支持板４２１とヒートスプレッダ４１の放熱部４１２とが、光学シート群２２、導光板２３、反射シート２４、及び底板３０を挟持する。光源支持部４１１は、光源２５１，２５１，…を、入光端面２３１に適長離隔して対向するよう支持する。導光板支持部４１４，４１４，…は、入光端面２３１に接触することによって導光板２３を支持する。
【００５０】
次に、作業者は底板３０を側板３１〜３４に取り付ける。このとき、底板３０は、連結部材３５，３５，…を介して、側板３１〜３３に連結される。
具体的には、作業者は、光学シート群２２、導光板２３、及び反射シート２４を側板３１〜３４に囲まれた空間に向け、底板３０の長辺部に取り付けられている連結部材３５，３５，…夫々の連結部３５２を側板３１の係合部３１２に対向させ、底板３０の２つの短辺部に取り付けられている連結部材３５，３５，…夫々の連結部３５２を側板３２，３３の係合部３１２，３１２に対向させる。このとき、各連結部材３５の連結部３５２におけるＶ字の屈曲部分が側板３１〜３４に囲まれた空間に向く。
以下では、底板３０と側板３１との連結を例示して説明するが、底板３０と側板３２，３３夫々との連結も同様である。
【００５１】
作業者は、底板３０を、側板３１〜３４に囲まれた空間に接近させる。このとき、各連結部材３５の連結部３５２の矩形板３５ｄが側板３１の係合部３１２の先端部に接触するので、連結部３５２には、矩形板３５ｄが矩形板３５ｃに接近する方向の外力が加えられる。この結果、連結部３５２は圧縮される。
圧縮された連結部３５２が側板３１の突出部３１１と係合部３１２との間の空間に挿入された場合、連結部３５２の復元力によって、連結部３５２が元の形状に戻る。このとき、矩形板３５ｄのＶ字の先端部が係合部３１２の内面に接触する。この結果、連結部材３５を介して底板３０と側板３１とが連結される。
【００５２】
このようにして底板３０及び側板３１〜３３が連結部材３５，３５，…で連結されることによって、皿状の収容体３が組み立てられる。作業者が連結部材３５，３５，…夫々を個別に係合部３１２に係合させる必要がなく、底板３０と側板３１〜３３夫々との連結を同時的に行なうことができるので、収容体３の組み立て作業は容易である。
【００５３】
収容体３は、底板３０の周囲に側板３１〜３４が配された構成である。本実施の形態では、底板３０と側板３４との間には空隙が形成される。しかしながら、各連結部材３５の連結部３５２が収容体３の開口側から係合部３１２に接触することによって連結部３５２が係合部３１２に係合するので、側板３１〜３４から底板３０が抜け落ちることが抑制される。
【００５４】
底板３０の端面と係合部３１２の先端面とは対向配置される。つまり、側板３１〜３３夫々の係合部３１２は、側板３１〜３３夫々の内面から底板３０の端面に向けて突出する。側板３１〜３３夫々の内面からの突出部３１１の突出方向は、底板３０に沿う。
導光板２３は、出光面２３２が収容体３の開口に向かうよう収容体３に収容される。導光板２３の非入光端面２３４と連結部３５２の矩形板３５ｃの外面との間には空隙が設けられる。
【００５５】
スペーサ３６は、底板３０の端面と側板３１〜３３夫々の係合部３１２の先端面との間に介在する。故に、底板３０の端面と側板３１〜３３夫々とが必要以上に接近する虞がない。従って、底板３０の端面と側板３１〜３３夫々との相対的な位置ずれによって各連結部材３５の連結部３５２が圧縮され、係合部３１２と連結部３５２との係合が無用に解除されてしまうことが抑制される。
外側支持体４３の支持板４３１、内側支持体４２の支持板４２１、及びヒートスプレッダ４１の光源支持部４１１は、側板３４と底板３０の下辺部の端面との間に配される。
【００５６】
以上のようにして収容体３が組み立てられると、各規制部材３７の規制部３７２が収容体３に収容される。このとき、規制部３７２の矩形板３７ｄの外面と導光板２３の非入光端面２３４とが、適長離隔して対向配置される。矩形板３７ｄのＶ字の先端部の外面と導光板２３の非入光端面２３４とは平行である。
【００５７】
次に、作業者は、内側支持体４２及び外側支持体４３の支持板４２２，４３２の間に、表示パネル２１の下辺部を挿入する。このとき、作業者は、表示パネル２１と支持板４２２との間に緩衝材４５３を介在させ、表示パネル２１と支持板４３２との間に緩衝材４５４を介在させる。この結果、表示パネル２１は、緩衝材４５３，４５４を介して支持板４２２，４３２に挟持される。
更に、作業者は、表示パネル２１の上辺部及び左右両辺部を、側板３１〜３３夫々の突出部３１１に、緩衝材４５５を介して貼り付ける。
【００５８】
次いで、作業者は、底板３０の金属層３０３の外面に受信部１２及び信号処理部１３を取り付ける。このとき、受信部１２及び信号処理部１３は、底板３０の上下方向中央部よりも下側に取り付けられる。
作業者は、受信部１２と信号処理部１３とを接続し、信号処理部１３と表示パネル２１とを接続する。
次に、作業者は、カバー４４によって、受信部１２、信号処理部１３、底板３０の上下方向中央部よりも下側、及び側板３４の短手方向一端面が覆われるように、カバー４４を底板３０に取り付ける。カバー４４は、例えばネジ留めによって底板３０に取り付けられる。
【００５９】
以上のような表示装置１１（延いてはテレビジョン受信機１）においては、光源２５１，２５１，…が発した光が導光板２３の入光端面２３１に入射して導光板２３の内部に進入する。導光板２３の内部に進入した光は導光板２３の出光面２３２から放出される。出光面２３２から放出された光は、光学シート群２２を透過して収容体３の開口から放出される。収容体３の開口から放出された光は、表示パネル２１を照明する。
導光板２３の非出光面２３３に入射した光は、反射シート２４にて出光面２３２側へ反射するので、非出光面２３３からの漏光が生じる虞はない。
光源２５１，２５１，…が発した熱の一部は、光源基板２５２、光源支持部４１１、及び放熱部４１２に伝わって、外部へ放出される。
【００６０】
光源２５１，２５１，…が発した熱の他の一部は、導光板２３に伝わり、導光板２３を膨張させる。
導光板２３の入光端面２３１は、導光板支持部４１４，４１４，…に接触している。故に、導光板２３の、入光端面２３１が光源に近づく方向の位置ずれを防止することができる。従って、光源２５１，２５１，…と入光端面２３１との離隔距離を一定に保つことができる（図６及び図７参照）。
導光板２３の非入光端面２３４と連結部材３５の連結部３５２との間には空隙があるので、膨張した導光板２３の非入光端面２３４が連結部材３５の連結部３５２に接触する虞はない。
【００６１】
図１０は、規制部材３７による位置規制を説明する断面図である。
膨張した導光板２３の非入光端面２３４は、規制部材３７の規制部３７２に接近して接触する。図１０においては、非入光端面２３４の規制部３７２への接近方向は上方向である。
非入光端面２３４に接触された矩形板３７ｄは、矩形板３７ｃに接近する方向に撓む。故に、規制部３７２の弾性に基づく復元力が規制部３７２に生じる。規制部３７２に生じた復元力によって、導光板２３は、非入光端面２３４の規制部３７２への接近方向の逆方向（図１０示す矢符方向）に付勢される。この結果、導光板２３の位置が規制される。
【００６２】
図４及び図５に示すように、各連結部材３５及び規制部材３７夫々は、底板３０の内部にて底板３０に取り付けられているので、連結部材３５及び規制部材３７夫々を底板３０に取り付けるための取り付け部を底板３０の内面に設ける必要がない。従って、表示装置１１の薄型化及び狭額縁化を図ることができる。
収容体３の底板３０の上下方向中央部よりも上側、及び側板３１〜３３は外部に露出している。収容体３を他部材で覆わない分、表示装置１１の薄型化及び狭額縁化を図ることができる。
底板３０と側板３１〜３３夫々とはネジで連結されていない。故に、底板３０と側板３１〜３３夫々とを連結するネジが外部に露出しないので、表示装置１１の美観を向上させることができる。
【００６３】
底板３０の端面と側板３１〜３３夫々の係合部３１２との間にはスペーサ３６が介在しているので、底板３０と側板３１〜３３夫々との隙間から表示装置１１の外部へ漏光すること、及び、底板３０と側板３１〜３３夫々との隙間から表示装置１１の内部へ異物が侵入することが防止されている。更に、スペーサ３６は、底板３０と側板３１〜３３夫々との隙間を埋めて表示装置１１の美観を向上させる。
【００６４】
底板３０と側板３４とを連結部材３５，３５，…を用いて連結することはなされていないが、側板３４は側板３１〜３３と一体なので、特段の問題はない。
底板３０と側板３４との間にはスペーサ３６が介在していないが、底板３０と側板３４との間はカバー４４によって覆われるので、特段の問題はない。
【００６５】
なお、表示装置１１は、テレビジョン受信機１を構成するものに限定されず、例えば、電子看板、又はパーソナルコンピュータ用のモニタ等を構成するものであってもよい。
また、表示装置１１は、表示パネル２１が側板３１〜３３夫々の突出部３１１に貼り付けられる構成に限定されない。
【００６６】
底板３０と側板３１〜３４とを連結する部材は、連結部材３５に限定されず、例えばネジ、両面テープ、又は硬化した接着剤でもよい。
規制部材３７の規制部３７２は、矩形板３５ｄに替えて、矩形板３５ｃに取り付けられた弾性部材（例えばクッション）を有していてもよい。
【００６７】
次に、実施の形態２，３を説明する。実施の形態２，３のテレビジョン受信機１及び表示装置１１は、実施の形態１のテレビジョン受信機１及び表示装置１１と略同様の構成である。実施の形態２，３のテレビジョン受信機１及び表示装置１１は、実施の形態１のテレビジョン受信機１及び表示装置１１の作用効果と略同様の作用効果を奏する。以下では、実施の形態１との差異について説明し、その他、実施の形態１と同一の構成要素には同一の符号を付してそれらの説明を省略する。
【００６８】
（実施の形態  ２．）
図１１は、実施の形態２に係るテレビジョン受信機１が備える表示装置１１の要部を略示する断面図である。
本実施の形態の規制部材３７が有する嵌入部３７１は、基部３７４及び弾性部材３７５を有する。
弾性部材３７５は矩形板状のクッション材である。
基部３７４は矩形板状をなし、実施の形態１の矩形板３７ａに相当する。即ち、基部３７４は規制部３７２の矩形板３７ｃに連続する。また、基部３７４の一面には突起３７３，３７３が設けられている。ただし、基部３７４の他面には弾性部材３７５が貼り付けられている。弾性部材３７５が、嵌入部３７１に弾性を与える。また、基部３７４は矩形板３７ａよりも厚い。
【００６９】
各規制部材３７は、規制部材３７の嵌入部３７１が底板３０の凹部３０４に嵌め入れられる。このとき、連結部材３７は底板３０に取り付けられる。
このために、作業者は、嵌入部３７１を凹部３０４に挿入し、突起３７３，３７３を穴３０５，３０５の内面に係合させる。このとき、基部３７４と底板３０の金属層３０３との間で嵌入部３７１の弾性部材３７５が圧縮されるので、嵌入部３７１の凹部３０４への嵌め入れ作業は容易である。
【００７０】
凹部３０４に嵌め入れられた嵌入部３７１の弾性部材３７５は、凹部３０４の内面に接触して圧縮される。故に、嵌入部３７１に復元力が生じる。嵌入部３７１に生じた復元力が嵌入部３７１を凹部３０４の内面に押し付けるので、嵌入部３７１が凹部３０４から抜け落ちることが抑制されると共に、凹部３０４の内部での嵌入部３７１のガタツキが抑制される。
規制部材３７の場合、基部３７４の剛性によって、規制部材３７の強度を向上させることができる。
【００７１】
（実施の形態  ３．）
図１２は、実施の形態３に係る表示装置１１を備えるテレビジョン受信機１を略示する断面図である。
本実施の形態の規制部材３７が有する嵌入部３７１は、嵌入基部３７７及び嵌入部材３７８を有する。
【００７２】
嵌入基部３７７は矩形板状をなし、実施の形態１の矩形板３５ａに相当する。即ち、嵌入基部３７７は規制部３７２の矩形板３７ｃに連続する。ただし、嵌入基部３７７は中央部にコ字状の開口３７ｅが設けられており、嵌入基部３７７における開口３７ｅに囲まれた部分がく字状の板バネ３７ｆである。板バネ３７ｆが、嵌入部３７１に弾性を与える。また、嵌入基部３７７の一面には図示しない複数の凸状部が設けられている。
【００７３】
嵌入基部３７７を形成するためには、例えば、１枚の金属板にポンチ加工を施すことによって凸状部を突設し、この金属板を切り欠くことによって開口３７ｅを設け、開口３７ｅの内部を屈曲させることによって板バネ３７ｆを設けることがなされる。
【００７４】
嵌入部材３７８は嵌入基部３７７よりも厚くて剛性が高い矩形板状をなす。嵌入部材３７８の一面には例えばポンチ加工によって突起３７３，３７３が設けられている。嵌入部材３７８には図示しない複数の凹状部が設けられている。
なお、嵌入基部３７７に凹状部が設けられており、嵌入部材３７８に凸状部が設けられていてもよい。
【００７５】
嵌入部３７１を底板３０の凹部３０４に嵌め入れるために、作業者は、嵌入基部３７７の凸状部を嵌入部材３７８の凹状部に挿入することによって、嵌入基部３７７と嵌入部材３７８とを接触させる。次に、作業者は、嵌入部３７１を凹部３０４に挿入し、突起３７３，３７３を穴３０５，３０５の内面に係合させる。このような嵌入部３７１の凹部３０４への嵌め入れ作業は容易である。
【００７６】
凹部３０４に嵌め入れられた嵌入部３７１の板バネ３７ｆは、凹部３０４の内面に接触して撓む。故に、嵌入部３７１の板バネ３７ｆの弾性に基づく復元力が嵌入部３７１に生じる。嵌入部３７１に生じた復元力が嵌入部３７１を凹部３０４の内面に押し付けるので、嵌入部３７１が凹部３０４から抜け落ちることが抑制されると共に、凹部３０４の内部での嵌入部３７１のガタツキが抑制される。しかも、嵌入基部３７７の凸状部が嵌入部材３７８の凹状部の内面に係合する。故に、嵌入基部３７７の凸状部が嵌入部材３７８の凹状部から抜け落ちることが更に抑制される。嵌入基部３７７の凸状部は、嵌入部材３７８の凹状部に挿入される方向に付勢されているので、嵌入基部３７７の凸状部が嵌入部材３７８の凹状部から抜け落ちる虞はない。
【００７７】
本実施の形態の連結部材３７の場合、嵌入部材３７８の剛性によって、連結部材３７の強度を向上させることができる。
【００７８】
最後に、実施の形態についてまとめる。
【００７９】
本実施の形態に係る表示装置１１は、光源２５１が発した光が入射する端面（入光端面２３１）及び該入光端面２３１に入射した光が放出される一面（出光面２３２）を有する導光板２３と、該導光板２３の前記出光面２３２が開口に向かうよう前記導光板２３を収容する皿状の収容体３と、該収容体３の前記開口から放出される光によって照明される表示パネル２１とを備える表示装置１１であって、前記収容体３は、端面に凹部３０６が設けられ、一面が前記導光板２３の他面（非出光面２３３）に向かう底板３０と、該底板３０の周囲に配される側板３１〜３４と、前記底板３０及び前記側板３１〜３４を連結する連結部材３５とを有し、一部（嵌入部３７１）が前記凹部３０６に嵌め入れられ、他部（規制部３７２）が弾性を有し、前記導光板２３の端面に対向する位置に配置され、前記導光板２３の位置を規制する規制部材３７を備えることを特徴とする。
【００８０】
本実施の形態に係る表示装置１１は、前記底板３０は、２つの金属層３０１，３０２の間に合成樹脂層（樹脂層３０２）が介在している複合板であり、前記凹部３０６は、前記樹脂層３０２に設けられていることを特徴とする。
【００８１】
本実施の形態に係る表示装置１１は、前記光源２５１を、前記入光端面２３１に適長離隔して対向するよう支持する光源支持部４１１と、前記導光板２３を、前記入光端面２３１に接触することによって支持する導光板支持部４１４とを更に備え、前記導光板２３は、前記光が入射しない端面である他の端面（非入光端面２３４，２３４，…）を更に有し、前記規制部材３７の前記規制部３７２は、少なくとも前記非入光端面２３４と対向する位置に配置されることを特徴とする。
【００８２】
本実施の形態に係る表示装置１１は、前記規制部材３７の前記規制部３７２は板バネ状をなすことを特徴とする。
【００８３】
本実施の形態に係る表示装置１１は、前記規制部材３７の前記嵌入部３７１は弾性を有し、前記凹部３０６の内面に接触して圧縮されていることを特徴とする。
【００８４】
本実施の形態に係るテレビジョン受信機１は、本実施の形態に係る表示装置１１と、テレビジョン放送を受信する受信部１２とを備え、該受信部１２にて受信したテレビジョン放送に基づいて、前記表示装置１１に映像を表示することを特徴とする。
【００８５】
本実施の形態にあっては、規制部材の一部（以下、規制部材の嵌入部という）が、底板の端面に設けられた凹部に嵌め入れられる。つまり、規制部材は底板の内部にて収容体に取り付けられているので、規制部材を収容体に取り付けるための取り付け部を収容体の内部に設ける必要がない。従って、表示装置（又は表示装置を備えるテレビジョン受信機）の狭額縁化を図ることができる。
【００８６】
導光板の端面は、光源が発した熱によって導光板が膨張した場合に、規制部材の他部（以下、規制部材の規制部という）に接近して接触する。故に、導光板の位置を規制することができる。
【００８７】
本実施の形態にあっては、複合板製の底板を構成する合成樹脂層に凹部を設ける。故に、底板の端面に容易に凹部を設けることができる。
【００８８】
本実施の形態にあっては、光源と、導光板における光源が発した光が入射する端面（以下、入光端面という）とが対向する。入光端面は、導光板支持部に接触している。故に、導光板の、入光端面が光源に近づく方向の位置ずれを防止することができる。従って、光源と入光端面との離隔距離を一定に保つことができる。
【００８９】
一方、導光板における光源が発した光が入射しない端面（以下、非入光端面という）は、光源が発した熱によって導光板が膨張した場合に規制部材の規制部に接近して接触する。このとき、規制部材の規制部は、非入光端面の規制部材の規制部への接近方向の逆方向に導光板を付勢する。故に、導光板の位置を規制することができる。
【００９０】
本実施の形態にあっては、規制部材の規制部が板バネ状をなす。このような規制部材は構成が簡易である。また、板バネが有する弾性によって、導光板を付勢することができる。
【００９１】
本実施の形態にあっては、規制部材の嵌入部が底板の凹部の内面に接触して圧縮されることによって、規制部材の嵌入部に復元力が生じる。規制部材の嵌入部に生じた復元力が規制部材の嵌入部を凹部の内面に押し付けるので、底板の凹部に嵌め入れられた規制部材の嵌入部が凹部から抜け落ちることを抑制することができる。
【００９２】
また、例えば作業者が規制部材の嵌入部に外力を加えることによって規制部材の嵌入部を圧縮すれば、作業者が規制部材の嵌入部を容易に底板の凹部に嵌め入れることができる。
【００９３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００９４】
１      テレビジョン受信機
１１    表示装置
１２    受信部
２１    表示パネル
２３    導光板
２３１  入光端面（光が入射する端面）
２３２  出光面（光が放出される一面）
２３３  非出光面（導光板の他面）
２３４  非入光端面（光が入射しない端面）
２５２  光源
３      収容体
３０    底板
３１〜３３  側板
３０１，３０３  金属層
３０２  樹脂層（合成樹脂層）
３０６  凹部
３５    連結部材
３７    規制部材
３７１  嵌入部（規制部材の一部）
３７２  規制部（規制部材の他部）
４１１  光源支持部
４１４  導光板支持部
【図１】
2018045197.tif 000003
【図２】
2018045197.tif 000004
【図３】
2018045197.tif 000005
【図４】
2018045197.tif 000006
【図５】
2018045197.tif 000007
【図６】
2018045197.tif 000008
【図７】
2018045197.tif 000009
【図８】
2018045197.tif 000010
【図９】
2018045197.tif 000011
【図１０】
2018045197.tif 000012
【図１１】
2018045197.tif 000013
【図１２】
2018045197.tif 000014